(57)【要約】【課題】従来、記録媒体の高密度化にも限度があった、また現在使用されているデータ読み取り及び記録媒体製造技術は、あるかないかだけの２進法以上のデータだけでなく、その中間の情報を載せる技術がある。その中間の技術を応用し、現在主流の２進法による記録方式を拡張して、記録媒体の１つの記録情報に対して複数の情報を加えることによって、記録媒体における１単位あたりの読み取り操作に対してｎ進法（３進法以上）の情報を持たせ、読み出すことを可能とさせ、従来の同じ記録密度で大容量化を可能とする記録方式を提供することを課題とする。【解決手段】記録媒体の１つの記録に対して複数の情報を加えることによって、記録媒体における１単位あたりの読み取り操作に対してｎ進法（３進法以上）の情報を読み出すことを可能とする。【選択図】図１
2005182885.tif 000002
【特許請求の範囲】
【請求項１】
記録媒体の１つの記録に対して複数の情報を加えることによって、記録媒体における１単位あたりの読み取り操作に対してｎ個のもしくはｎ進法（３進法以上）の情報を読み出すことを特徴とする記録方式。
【請求項２】
光記録媒体の１つのビットを傾斜させて角度の違いによる３進法以上の情報を持たせることを特徴とする記録方式。
【請求項３】
光記録媒体の１つのビット上に偏光作用のある物質を乗せることにより、その変更状態により３進法以上の情報を持たせることを特徴とする記録方式。
【請求項４】
光記録媒体の１つのビット上に特定の波長の光のみを反射する物質を乗せることにより、その反射する光の波長の種類により３進法以上の情報を持たせることを特徴とする記録方式。
【請求項５】
光透過型記録媒体により、１つの記録に対して透過する光量の違いにより３進法以上の情報を持たせることを特徴とする記録方式。
【請求項６】
光透過型記録媒体により、１つの記録に対して透過する光の波長の種類により３進法以上の情報を持たせることを特徴とする記録方式。
【請求項７】
半導体記録媒体（メモリ）の１素子あたりの情報、例えば電圧情報をｎ段階とすることにより、３進法以上の情報を持たせることを特徴とする記録方式
【請求項８】
磁気記録媒体により、１つの記録に対して磁気の強さの段階により３進法以上の情報を持たせることを特徴とする記録方式。
【請求項９】
コンピュータ上のデータのやり取りをおこなう１つの信号線に対して電圧情報をｎ段階とすることにより、３進法以上の情報を扱うことを特徴とする方式。
【発明の詳細な説明】
【技術分野】
【０００１】
この発明は、電子計算機等に使用される記録媒体の記録方式に関する。
【背景技術】
【０００２】
電子計算機を利用した高画質の画像や音声の取り扱い、大量のデーターベースなど、情報量が年々増加傾向にある。そのため、記録媒体の高密度化が進んでいる。それに伴い、データ読み取り技術に対しても、かなりの精度を有するようになってきている。一部には大容量記録媒体に対する読み取り動作を容易に行うための工夫も考案されている。
【特許文献１】特開２０００−２７６７３２号公報
【発明の開示】
【発明が解決しようとする課題】
【０００３】
従来、記録媒体の高密度化にも限度があった、また現在使用されているデータ読み取り及び記録媒体製造技術は、あるかないかだけの２進法以上のデータだけでなく、その中間の情報を載せる技術がある。その中間の技術を応用し、現在主流の２進法による記録方式を拡張して、記録媒体の１つの記録情報に対して複数の情報を加えることによって、記録媒体における１単位あたりの読み取り操作に対してｎ進法（３進法以上）の情報を持たせ、読み出すことを可能とさせ、従来の同じ記録密度で大容量化を可能とする記録方式を提供することを課題とする。
【課題を解決するための手段】
【０００４】
本発明は、上記目的を達成するため、請求項１記載の発明は、記録媒体の１つの記録に対して複数の情報を加えることによって、記録媒体における１単位あたりの読み取り操作に対してｎ個のもしくはｎ進法（３進法以上）の情報を読み出すことを特徴とする。
【０００５】
また、請求項２記載の発明は、請求項１記載の発明において、光記録媒体の１つのビットを傾斜させて角度の違いによる３進法以上の情報を持たせることを特徴とする。
【０００６】
また、請求項３記載の発明は、請求項１記載の発明において、光記録媒体の１つのビット上に偏光作用のある物質を乗せることにより、その変更状態により３進法以上の情報を持たせることを特徴とする。
【０００７】
また、請求項４記載の発明は、請求項１記載の発明において、光記録媒体の１つのビット上に特定の波長の光のみを反射する物質を乗せることにより、その反射する光の波長の種類により３進法以上の情報を持たせることを特徴とする。
【０００８】
また、請求項５記載の発明は、請求項１記載の発明において、光透過型記録媒体により、１つの記録に対して透過する光量の違いにより３進法以上の情報を持たせることを特徴とする。
【０００９】
また、請求項６記載の発明は、請求項１記載の発明において、光透過型記録媒体により、１つの記録に対して透過する光の波長の種類により３進法以上の情報を持たせることを特徴とする。
【００１０】
また、請求項７記載の発明は、請求項１記載の発明において、半導体記録媒体（メモリ）の１素子あたりの情報、例えば電圧情報をｎ段階とすることにより、３進法以上の情報を持たせることを特徴とする。
【００１１】
また、請求項８記載の発明は、請求項１記載の発明において、磁気記録媒体により、１つの記録に対して磁気の強さの段階により３進法以上の情報を持たせることを特徴とする。
【００１２】
また、請求項９記載の発明は、請求項１記載の発明に類似する転送方式であり、コンピュータ上のデータのやり取りをおこなう１つの信号線に対して電圧情報をｎ段階とすることにより、３進法以上の情報を扱うという特徴とする。
【発明の効果】
【００１３】
本発明は、以上説明したように、記録媒体に対して、この発明のｎ進法での記録方式によって、２進法の記録方式より高容量化が可能となる。
【発明を実施するための最良の形態】
【００１４】
記録媒体の１つの記録に対して複数の情報を加えることによって、記録媒体における１単位あたりの読み取り操作に対してｎ個のもしくはｎ進法（３進法以上）の情報を読み出し、光記録媒体の１つのビットを傾斜させて角度の違いによる３進法以上の情報を持たせ、光記録媒体の１つのビット上に偏光作用のある物質を乗せることにより、その変更状態により３進法以上の情報を持たせる、また光記録媒体の１つのビット上に特定の波長の光のみを反射する物質を乗せることにより、その反射する光の波長の種類により３進法以上の情報を光透過型記録媒体により、１つの記録に対して透過する光量の違いにより３進法以上の情報の光透過型記録媒体により、１つの記録に対して透過する光の波長の種類により３進法以上の情報を半導体記録媒体（メモリ）の１素子あたりの情報、例えば電圧情報をｎ段階とすることにより、３進法以上の情報を磁気記録媒体により、１つの記録に対して磁気の強さの段階により３進法以上の情報をコンピュータ上のデータのやり取りをおこなう１つの信号線に対して電圧情報をｎ段階とすることにより、３進法以上の情報を扱うことで実現した。
【実施例】
【００１５】
以下、この発明に係わる記録媒体の記録方式に対する実施の形態により添付図面を参照して詳細に説明する。図１はこの発明に係わる記録媒体の記録方式の請求項２の光記録媒体の記録ビットに対する横から見たイメージ図である。図２はこの発明に係わる記録媒体の記録方式の請求項３の偏光板を用いた光記録媒体の記録ビットに対するイメージ図である。図３はこの発明に係わる記録媒体の記録方式の請求項４の光記録媒体の記録ビットに対するイメージ図である。図４はこの発明に係わる記録媒体の記録方式の請求項５の光透過型記録媒体の記録ビットに対するイメージ図である。図４のビット（透過窓）を拡大し、透過光強度が異なる１つのビット（透過窓）へ光が透過している様子を表したイメージ図である。
【００１６】
図１は、この発明に係わる記録媒体の記録方式の光記録媒体に対する実施例で、１つのビットの読み取り動作を図示したものである。この光記録媒体の実施例では、光源１から発射された入射光３がディスク面６の反射板である記録ビット７の各傾きを持った反射面５ａ,５ｂ,５ｃに当たって反射した反射光４を、各角度で検出できるようにした検出器２ａ,２ｂ,２ｃで検出する。反射光４は反射面５ａ,５ｂ,５ｃの反射角度によって、予め決められた傾きをつけることにより、反射光４の光の方向はビットの傾きに応じてそれぞれの角度に配置された検出器２ａ,２ｂ,２ｃを通して１つの記録ビットに対して３進法以上の情報を記録でき、検出できる、検出方法はデータ読み取り再生装置を使用する。
【００１７】
図２は、この発明に係わる記録媒体の記録方式の光記録媒体に対する実施例で、１つのビットの読み取り動作を図示したものである。この光記録媒体の実施例では、偏光板１を通過した入射光１０は反射作用の異なる物質９ａ,９ｂ,９ｃに当たって反射する、反射光１１は反射作用が異なるため、反射光１１は輝度が変化する。この輝度の度合いを決めておくことによって、３進法以上の情報を記録でき、検出できる。
【００１８】
図３は、この発明に係わる記録媒体の記録方式の光記録媒体に対する実施例でビットの読み取り動作を図示したものである。この光記録媒体の実施例では、反射板１５ａ,１５ｂ,１５ｃは特定の波長のみを反射する反射板によって、反射光１４ａ,１４ｂ,１４ｃは特定の波形の波長のみを反射光として検出器１７で検出する。その結果、予め波長ごとのアルゴリズムに関連付けて決めた符号表により、３進法以上の記録ができ、検出が可能である。例えば、反射光の無い状態を０とした場合、赤い反射光は１とし、青い反射光は２とする、また黄色い反射光は３と言うような形態で関連付ける。
【００１９】
図４は光ディスクの様子および記録ビットを示した図で、光を透過するかどうかで記録したディスクである光透過型記録媒体１８と透過窓の記録ビット１９である。
【００２０】
図５は、この発明に係わる記録媒体の記録方式の光透過型記録媒体に対する実施例にて１つのビットの読み取り動作を図示したものである。光透過型記録媒体は、従来の光を反射させて情報を読み取る方式のＣＤと違い、入射光２１を記録ビット２０ａ,２０ｂ,２０ｃの透過光強度が異なる透過窓へ透過させて、その記録ビット２２ａ,２２ｂ,２２ｃの透過光の透過光強度の違いにより３進法以上の記録ができ、検出できる。
【００２１】
記録媒体の記録方式の光透過型記録媒体に対する実施例は、この光透過型記録媒体は、図５の記録ビット２０ａ,２０ｂ,２０ｃの透過光強度が異なる透過窓の部分を、特定の異なる波長の光を通す透過窓に変えたもので、透過した透過光の波長を検出することにより、３進法以上の記録ができ、検出できる。
【００２２】
また記録媒体の記録方式の半導体記録媒体に対する実施例は、電圧情報をｎ段階とすることにより、３進法以上の情報を持たせるものである。
【００２３】
記録媒体の記録方式の磁気記録媒体に対する実施例は、１つの記録に対して磁気の強さの段階により３進法以上の情報を持たせるものである。この方法だと、磁気テープ、磁気ディスクを使うことができる。
【００２４】
データ転送方式に対する実施例は、コンピュータ上のデータのやり取りをおこなう１つの信号線に対して電圧情報をｎ段階とすることにより、３進法以上の情報を扱うものである。
【産業上の利用可能性】
【００２５】
電子計算機を利用した高画質の画像や音声の大量のデーターベースなど、情報量の増加に対応することができる。
【図面の簡単な説明】
【００２６】
【図１】この発明の実施の形態に係わる記録媒体の記録方式の請求項２の光記録媒体の記録ビットに対する横から見たイメージ図である
【図２】この発明の実施の形態に係わる記録媒体の記録方式の請求項３の偏光板を用いた光記録媒体の記録ビットに対するイメージ図である。
【図３】この発明の実施の形態に係わる記録媒体の記録方式の請求項４の光記録媒体の記録ビットに対するイメージ図である
【図４】この発明の実施の形態に係わる記録媒体の記録方式の請求項５の光透過型記録媒体の記録ビットに対するイメージ図である。
【図５】この発明の実施の形態に係わる図４のビット（透過窓）を拡大し、透過光強度が異なる１つのビット（透過窓）へ光が透過している様子を表したイメージ図である。
【符号の説明】
【００２７】
１    光源
２ａ，２ｂ，２ｃ  検出器
３    入射光
４    反射光
５ａ，５ｂ，５ｃ  反射面
６    ディスク面
７    記録ビット
８    偏光板
９ａ，９ｂ，９ｃ  偏光作用のある物質
１０  偏光された入射光
１１  反射光
１２  記録ビット
１３  入射光
１４ａ，１４ｂ，１４ｃ  反射光
１５ａ，１５ｂ，１５ｃ  反射板
１６  光源
１７  検出器
１８  光透過型記録媒体
１９  記録ビット
２０ａ，２０ｂ，２０ｃ  記録ビット
２１  入射光
２２ａ，２２ｂ，２２ｃ  透過光
【図１】
2005182885.tif 000003
【図２】
2005182885.tif 000004
【図３】
2005182885.tif 000005
【図４】
2005182885.tif 000006
【図５】
2005182885.tif 000007